(57)【要約】【課題】本発明は不定形サイズの原稿サイズを安価にかつ高精度に検出する自動原稿送り装置及び画像処理装置を提供する。【解決手段】ＡＤＦ１は、基準端面で複数枚の原稿の載置される原稿セットテーブル２０上に、原稿幅方向にスライドして原稿の規制端面を規制するサイドガイド２１と、原稿搬送方向に所定間隔空けて原稿幅方向に配設された一対の導電部材２０１と、導電部材２０１の原稿幅方向に所定間隔毎に複数の形成された勘合突起２０２と、所定の抵抗値を有し任意の勘合突起２０２に着脱可能に設置される接続部材２０３と、が設けられ、サイドガイド２１に、接続部材２０３の設置位置で接続部材２０３と接触するとともに接続部材２０３と導通部材２０１とを接続する導通部材２０４が形成され、サイドガイド２１が不定形サイズの原稿の規制端面に移動されることで、安価にかつ高精度に原稿幅を検出する。【選択図】          図３
2004315136.tif 000002
【特許請求の範囲】
【請求項１】
原稿載置台上に原稿幅方向一方側端面を基準端面として載置される複数枚の原稿を１枚毎に分離して画像読取部に給送する自動原稿送り装置において、前記原稿載置台上に、原稿幅方向にスライドして前記原稿の基準端面とは反対側端面を規制端面として規制するガイド部材と、当該原稿幅方向の特定位置に着脱可能に設置され当該ガイド部材の当該特定位置を検出する位置検知手段と、を備え、前記ガイド部材が前記原稿載置台上の原稿の前記規制側端面に合わせて移動されると、当該ガイド部材の位置を前記位置検知手段で検知することを特徴とする自動原稿送り装置。
【請求項２】
前記位置検出手段は、前記原稿幅方向の複数の異なる特定位置に任意に設置可能であることを特徴とする請求項１記載の自動原稿送り装置。
【請求項３】
前記位置検出手段は、前記原稿搬送方向に所定間隔を空けて前記原稿幅方向に前記ガイド部材の移動範囲にわたって配設された一対の導電部材と、当該導電部材の前記原稿幅方向に所定間隔毎に設けられた複数の位置固定部と、当該複数の位置固定部のうち任意の位置固定部に着脱可能に設置され所定の抵抗値を有する接続部材と、前記ガイド部材に設けられ前記導電部材と接触して前記接続部材の設置位置で当該接続部材と接触するとともに当該接続部材と前記導通部材とを接続する導通部材と、を備えていることを特徴とする請求項１または請求項２記載の自動原稿送り装置。
【請求項４】
原稿載置台上に原稿幅方向一方側端面を基準端面として載置される複数枚の原稿を１枚毎に分離して画像読取部に給送するとともに、前記原稿載置台上に、原稿幅方向にスライドして前記原稿の基準端面とは反対側端面を規制端面として規制するガイド部材と、当該原稿幅方向の特定位置に着脱可能に設置され当該ガイド部材の当該特定位置を検出する位置検知手段と、を有する自動原稿送り装置を備え、少なくとも、前記画像読取部上を搬送される前記原稿の画像を当該原稿の原稿幅に応じて読み取る画像処理装置であって、前記位置検知手段の検知した位置検知情報を前記自動原稿送り装置から取得する情報取得手段と、当該情報取得手段の取得する位置検知情報に対応させて原稿幅値を設定入力する入力手段と、当該入力手段で入力された原稿幅値を前記位置検知情報に対応させて記憶する記憶手段と、前記原稿載置台上に載置された原稿に合わせて前記ガイド部材が移動され、前記位置検知手段が当該ガイド部材の位置を検出した位置検知情報を前記情報取得手段が取得すると、当該位置検知情報と前記記憶手段の原稿幅値に基づいて当該原稿載置台上に載置された原稿の原稿幅を読み出して前記原稿の読取幅を決定する制御手段と、を備えていることを特徴とする画像処理装置。
【請求項５】
前記自動原稿送り装置が、前記請求項２または請求項３記載の自動原稿送り装置であることを特徴とする請求項４記載の画像処理装置。
【発明の詳細な説明】
【０００１】
【発明の属する技術分野】
本発明は、自動原稿送り装置及び画像処理装置に関し、詳細には、不定形サイズの原稿サイズを安価にかつ高精度に検出する自動原稿送り装置及び当該検出した原稿サイズに基づいて読取原稿幅を決定して高精度に読み取りを行う画像処理装置に関する。
【０００２】
【従来の技術】
【特許文献１】
特開２０００−７２２６５公報
【特許文献２】
特開２０００−１０３５３６号公報
複写装置等の画像形成システムにおいては、原稿載置台上にセットされた複数枚の原稿を１枚ずつ分離して画像形成システムの画像読取面に搬送するために、ＡＤＦ（Ａｕｔｏ  Ｄｏｃｕｍｅｎｔ  Ｆｉｅｄｅｒ：自動原稿送り装置）が用いられており、このＡＤＦには、その原稿載置台上に、原稿の中央部を基準として原稿をセットする中央基準タイプと、原稿端面を基準として原稿をセットする端面基準タイプと、がある。
【０００３】
中央基準タイプでは、原稿載置台にセットされた原稿の幅サイズを検出するのに、従来、例えば、原稿幅方向を規制するガイド部材に連動する可変抵抗を用いて原稿搬送方向に直交する方向（幅方向）を検知する方式が用いられている（特許文献１参照）。
【０００４】
ところが、この中央基準タイプにあっては、同一サイズの原稿束の幅サイズについては、当該原稿が不定形サイズであっても概略正確に検出することができるが、複数の原稿サイズの原稿が原稿載置台上に混載してセットされた場合には、最大幅の原稿サイズしか検出することができないだけでなく、最大サイズよりも小さいサイズの原稿を中央基準で適切にセットすることが困難であり、サイズの異なる原稿を原稿載置台上に混載することができないという問題があった。
【０００５】
一方、端面基準タイプでは、原稿の端面を基準として基準となる基準ガイド板に原稿の幅方向端面を合わせることで、サイズの異なる原稿を原稿載置台上に適切に混載することができるが、サイズを設定する他方側の端面をガイドするガイド板の位置は、最大原稿サイズによって決まるため、当該ガイド板の位置を特許文献１記載のようなガイド板の位置と連動する可変抵抗によって検出して混載された原稿の原稿幅を検出することはできない。
【０００６】
また、端面基準タイプのＡＤＦでは、基準ガイド板と反対側のガイド板が混載された原稿のうち、最大サイズよりも小さいサイズの原稿の場合、当該ガイド板が当該小さいサイズの原稿の端面をガイドをしない状態で原稿載置台上に載置され、当該小さいサイズの原稿が搬送される際に、原稿束から分離送給された直後に、原稿幅を検知する幅検知手段が設けられていることが多い。
【０００７】
そして、従来のＡＤＦでは、このような幅検知手段は、使用頻度の高い定形サイズの原稿サイズを検知するように複数個配置されており、このように複数個配置された幅検知手段の検出結果と原稿搬送方向の長さの検出結果とに基づいて原稿サイズを判別して、画像形成装置等の画像処理装置に原稿サイズを通知している。
【０００８】
ところが、このような原稿サイズ検出方法を採用すると、幅検知手段が定形サイズを検出するように配置されているため、定形サイズについては、適切に検出することはできるが、不定形サイズの原稿については、当該不定形サイズに近い定形サイズ幅として検知され、読み取った画像データに画像処理を行う際に主走査方向のミラー処理を行う画像処理装置にあっては、有効画像が途切れてしまうという問題があった。
【０００９】
そこで、本出願人は、先に、操作部等の原稿サイズ設定手段で設定された原稿サイズに基づいて不定形サイズの原稿の読取時の画像領域を設定して、画像切れを防止する複写装置を提案している（特許文献２参照）。
【００１０】
【発明が解決しようとする課題】
しかしながら、このような従来の自動原稿送り装置や画像処理装置にあっては、不定形サイズ原稿を読み取る際に操作部等の原稿サイズ設定手段で原稿サイズを設定しているため、不定形サイズの原稿を読み取る毎に毎回原稿サイズ設定手段から原稿サイズを設定する必要があり、オペレータに操作上の負担をかけたり、設定のし忘れによるミスコピーの原因となるおそれがあった。
【００１１】
そこで、本発明は、使用される不定形サイズ原稿の種類が、自動原稿送り装置や画像処理装置の設置されるユーザ毎に異なること及び１ユーザで使用される不定形サイズの種類が比較的少ないことに着目して、ユーザ毎の不定形サイズ原稿に対するサイズ検知の対応をより簡便に行うとともに、通常のコピー動作によって不定形サイズの原稿幅を検知して、画像読取時の設定操作を簡略化するとともに、操作ミスを防止することのできる自動原稿送り装置や画像処理装置を提供することを目的としている。
【００１２】
具体的には、請求項１記載の発明は、原稿幅方向一方側端面を基準端面として複数枚の原稿の載置される原稿載置台上に、原稿幅方向にスライドして原稿の基準端面とは反対側端面を規制端面として規制するガイド部材を設け、当該原稿幅方向の特定位置に着脱可能に設置された位置検知手段で、当該ガイド部材の当該特定位置を検出することにより、特定位置として自動原稿送り装置を使用するユーザ固有の不定形サイズの原稿の規制端面位置を設定して、ガイド部材を不定形サイズの原稿の規制端面に合わせて移動するだけで、安価にかつ高精度に不定形サイズの原稿の幅サイズを検出することのできる自動原稿送り装置を提供することを目的としている。
【００１３】
請求項２記載の発明は、位置検出手段を、原稿幅方向の複数の異なる特定位置に任意に設置可能とすることにより、複数の不定形サイズの原稿の幅サイズを安価にかつ高精度に検出することのできる自動原稿送り装置を提供することを目的としている。
【００１４】
請求項３記載の発明は、位置検出手段を、原稿搬送方向に所定間隔を空けて原稿幅方向にガイド部材の移動範囲にわたって配設された一対の導電部材と、当該導電部材の原稿幅方向に所定間隔毎に設けられた複数の位置固定部と、当該複数の位置固定部のうち任意の位置固定部に着脱可能に設置され所定の抵抗値を有する接続部材と、ガイド部材に設けられ導電部材と接触して接続部材の設置位置で当該接続部材と接触するとともに当該接続部材と導通部材とを接続する導通部材と、を備えたものとすることにより、より一層安価にかつ高精度に不定形サイズの原稿の幅サイズを検出することのできる自動原稿送り装置を提供することを目的としている。
【００１５】
請求項４記載の発明は、原稿載置台上に原稿幅方向一方側端面を基準端面として載置される複数枚の原稿を１枚毎に分離して画像読取部に給送するとともに、原稿載置台上に、原稿幅方向にスライドして原稿の基準端面とは反対側端面を規制端面としてガイド部材で規制し、当該原稿幅方向の特定位置に着脱可能に設置された位置検知手段で当該ガイド部材の当該特定位置を検出する自動原稿送り装置を備え、少なくとも、画像読取部上を搬送される原稿の画像を当該原稿の原稿幅に応じて読み取るに際して、情報取得手段で、位置検知手段の検知した位置検知情報を自動原稿送り装置から取得し、当該情報取得手段の取得する位置検知情報に対応させて原稿幅値を入力手段から設定入力して、当該原稿幅値を位置検知情報に対応させて記憶手段に記憶し、原稿載置台上に載置された原稿に合わせてガイド部材が移動され、位置検知手段が当該ガイド部材の位置を検出した位置検知情報を情報取得手段が取得すると、制御手段で、当該位置検知情報と記憶手段の原稿幅値に基づいて当該原稿載置台上に載置された原稿の原稿幅を読み出して原稿の読取幅を決定することにより、特定位置として自動原稿送り装置を使用するユーザ固有の不定形サイズの原稿の規制端面位置を設定して、不定形サイズの原稿の規制端面にガイド部材を合せるだけで、安価にかつ高精度に不定形サイズの原稿の幅サイズを検出して、当該検出した原稿幅サイズを読取幅として原稿の画像を読み取り、不定形サイズの原稿の画像を安価にかつ高精度に読み取る画像処理装置を提供することを目的としている。
【００１６】
請求項５記載の発明は、自動原稿送り装置を、請求項２または請求項３記載の自動原稿送り装置とすることで、複数の不定形サイズの原稿の幅サイズを検出して、また、より一層安価に不定形サイズの原稿の幅サイズを検出して、当該検出した原稿幅サイズを読取幅として原稿の画像を読み取り、不定形サイズの原稿の画像をより一層安価にかつ高精度に読み取る画像処理装置を提供することを目的としている。
【００１７】
【課題を解決するための手段】
請求項１記載の発明の自動原稿送り装置は、原稿載置台上に原稿幅方向一方側端面を基準端面として載置される複数枚の原稿を１枚毎に分離して画像読取部に給送する自動原稿送り装置において、前記原稿載置台上に、原稿幅方向にスライドして前記原稿の基準端面とは反対側端面を規制端面として規制するガイド部材と、当該原稿幅方向の特定位置に着脱可能に設置され当該ガイド部材の当該特定位置を検出する位置検知手段と、を備え、前記ガイド部材が前記原稿載置台上の原稿の前記規制側端面に合わせて移動されると、当該ガイド部材の位置を前記位置検知手段で検知することにより、上記目的を達成している。
【００１８】
上記構成によれば、原稿幅方向一方側端面を基準端面として複数枚の原稿の載置される原稿載置台上に、原稿幅方向にスライドして原稿の基準端面とは反対側端面を規制端面として規制するガイド部材を設け、当該原稿幅方向の特定位置に着脱可能に設置された位置検知手段で、当該ガイド部材の当該特定位置を検出するので、特定位置として自動原稿送り装置を使用するユーザ固有の不定形サイズの原稿の規制端面位置を設定して、ガイド部材を不定形サイズの原稿の規制端面に合わせて移動するだけで、安価にかつ高精度に不定形サイズの原稿の幅サイズを検出することができる。
【００１９】
この場合、例えば、請求項２に記載するように、前記位置検出手段は、前記原稿幅方向の複数の異なる特定位置に任意に設置可能なものであってもよい。
【００２０】
上記構成によれば、位置検出手段を、原稿幅方向の複数の異なる特定位置に任意に設置可能としているので、複数の不定形サイズの原稿の幅サイズを安価にかつ高精度に検出することができる。
【００２１】
また、例えば、請求項３に記載するように、前記位置検出手段は、前記原稿搬送方向に所定間隔を空けて前記原稿幅方向に前記ガイド部材の移動範囲にわたって配設された一対の導電部材と、当該導電部材の前記原稿幅方向に所定間隔毎に設けられた複数の位置固定部と、当該複数の位置固定部のうち任意の位置固定部に着脱可能に設置され所定の抵抗値を有する接続部材と、前記ガイド部材に設けられ前記導電部材と接触して前記接続部材の設置位置で当該接続部材と接触するとともに当該接続部材と前記導通部材とを接続する導通部材と、を備えているものであってもよい。
【００２２】
上記構成によれば、位置検出手段を、原稿搬送方向に所定間隔を空けて原稿幅方向にガイド部材の移動範囲にわたって配設された一対の導電部材と、当該導電部材の原稿幅方向に所定間隔毎に設けられた複数の位置固定部と、当該複数の位置固定部のうち任意の位置固定部に着脱可能に設置され所定の抵抗値を有する接続部材と、ガイド部材に設けられ導電部材と接触して接続部材の設置位置で当該接続部材と接触するとともに当該接続部材と導通部材とを接続する導通部材と、を備えたものとしているので、より一層安価にかつ高精度に不定形サイズの原稿の幅サイズを検出することができる。
【００２３】
請求項４記載の発明の画像処理装置は、原稿載置台上に原稿幅方向一方側端面を基準端面として載置される複数枚の原稿を１枚毎に分離して画像読取部に給送するとともに、前記原稿載置台上に、原稿幅方向にスライドして前記原稿の基準端面とは反対側端面を規制端面として規制するガイド部材と、当該原稿幅方向の特定位置に着脱可能に設置され当該ガイド部材の当該特定位置を検出する位置検知手段と、を有する自動原稿送り装置を備え、少なくとも、前記画像読取部上を搬送される前記原稿の画像を当該原稿の原稿幅に応じて読み取る画像処理装置であって、前記位置検知手段の検知した位置検知情報を前記自動原稿送り装置から取得する情報取得手段と、当該情報取得手段の取得する位置検知情報に対応させて原稿幅値を設定入力する入力手段と、当該入力手段で入力された原稿幅値を前記位置検知情報に対応させて記憶する記憶手段と、前記原稿載置台上に載置された原稿に合わせて前記ガイド部材が移動され、前記位置検知手段が当該ガイド部材の位置を検出した位置検知情報を前記情報取得手段が取得すると、当該位置検知情報と前記記憶手段の原稿幅値に基づいて当該原稿載置台上に載置された原稿の原稿幅を読み出して前記原稿の読取幅を決定する制御手段と、を備えていることにより、上記目的を達成している。
【００２４】
上記構成によれば、原稿載置台上に原稿幅方向一方側端面を基準端面として載置される複数枚の原稿を１枚毎に分離して画像読取部に給送するとともに、原稿載置台上に、原稿幅方向にスライドして原稿の基準端面とは反対側端面を規制端面としてガイド部材で規制し、当該原稿幅方向の特定位置に着脱可能に設置された位置検知手段で当該ガイド部材の当該特定位置を検出する自動原稿送り装置を備え、少なくとも、画像読取部上を搬送される原稿の画像を当該原稿の原稿幅に応じて読み取るに際して、情報取得手段で、位置検知手段の検知した位置検知情報を自動原稿送り装置から取得し、当該情報取得手段の取得する位置検知情報に対応させて原稿幅値を入力手段から設定入力して、当該原稿幅値を位置検知情報に対応させて記憶手段に記憶し、原稿載置台上に載置された原稿に合わせてガイド部材が移動され、位置検知手段が当該ガイド部材の位置を検出した位置検知情報を情報取得手段が取得すると、制御手段で、当該位置検知情報と記憶手段の原稿幅値に基づいて当該原稿載置台上に載置された原稿の原稿幅を読み出して原稿の読取幅を決定するので、特定位置として自動原稿送り装置を使用するユーザ固有の不定形サイズの原稿の規制端面位置を設定して、不定形サイズの原稿の規制端面にガイド部材を合せるだけで、安価にかつ高精度に不定形サイズの原稿の幅サイズを検出して、当該検出した原稿幅サイズを読取幅として原稿の画像を読み取ることができ、不定形サイズの原稿の画像を安価にかつ高精度に読み取ることができる。
【００２５】
請求項４の場合、例えば、請求項５に記載するように、前記自動原稿送り装置が、前記請求項２または請求項３記載の自動原稿送り装置であってもよい。
【００２６】
上記構成によれば、自動原稿送り装置を、請求項２または請求項３記載の自動原稿送り装置としているので、複数の不定形サイズの原稿の幅サイズを検出して、また、より一層安価に不定形サイズの原稿の幅サイズを検出して、当該検出した原稿幅サイズを読取幅として原稿の画像を読み取ることができ、不定形サイズの原稿の画像をより一層安価にかつ高精度に読み取ることができる。
【００２７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２８】
図１〜図１３は、本発明の自動原稿送り装置及び画像処理装置の一実施の形態を示す図であり、図１は、本発明の自動原稿送り装置及び画像処理装置の一実施の形態を適用した画像処理装置の上部に載置されるシートスルー型のＡＤＦ（Ａｕｔｏ  Ｄｏｃｕｍｅｎｔ  Ｆｉｅｄｅｒ：自動原稿送り装置）１の正面概略構成図である。
【００２９】
図１において、ＡＤＦ１は、大きく分けて、読取対象の複数枚の原稿Ｇのセット（載置）される原稿セット部２、原稿セット部２にセットされた複数枚の原稿Ｇから一枚ずつ原稿Ｇを分離して給送する分離給送部３、分離給送部３により給送された原稿Ｇを一時突き当てて整合する整合処理と整合後の原稿Ｇを引き出して搬送するレジスト部４、レジスト部４から搬送される原稿Ｇをターンさせて原稿面を読取側（下方側）に向けて搬送するターン部５、原稿Ｇの表面画像を読取ガラス（コンタクトガラス）の下方から読み取らせる第１読取搬送部６、表面画像の読み取り後の原稿Ｇの裏面画像を読み取りつつ搬送する第２読取搬送部７、表裏面の読み取りの完了した原稿を機外、または、反転部９に送り込む排紙部８、再読み取りのために原稿Ｇを反転させる反転部９及び読み取りの完了した原稿Ｇを積載保持するスタック部１０等を備えており、これらの各部を、図２に示す呼出モータ１１、給紙モータ１２、読取搬送モータ１３、反転モータ１４及び反転切換ソレノイド１５等の駆動部をコントローラ１６が制御することで、ＡＤＦ１としての機能動作を行う。
【００３０】
原稿セット部２は、原稿セットテーブル（原稿載置台）２０、サイドガイド（ガイド部材）２１及び原稿長さ検知センサ２２、２３等を備え、分離給送部３は、原稿ストッパ３０、原稿検知フィラー３１、ピックアップローラ３２、給紙ベルト３３、ベルトプーリ３４ａ、３４ｂ、分離ローラ３５、給紙路３６、原稿セット検知センサ３７、ホームポジションセンサ３８及び突き当てセンサ３９等を備えている。
【００３１】
原稿セットテーブル２０上には、読取対象の複数枚の原稿Ｇがセットされ、原稿セットテーブル２０は、回転支点２４を中心に上方に回転待避可能となっていて、スタック部１０にスタックされた原稿Ｇを容易に取り出せるようになっている。この原稿セットテーブル２０の開閉を検出するテーブル開閉検知センサ１７が、スタック部１０に設けられている。この原稿セットテーブル２０上には、複数枚の原稿Ｇがその先端を原稿ストッパー３０の破線位置に突き当てた状態でセットされ、原稿束Ｇの幅方向端部がサイドガイド２１によって位置決めされることで、原稿Ｇは、その搬送方向と直交する方向の位置決めが行われる。
【００３２】
このように原稿Ｇがセットされると、原稿セット検知フィラー３１が破線位置から実線位置に変位して、原稿セット検知センサ３７の原稿セット検知フィラー３１による遮光が解除され、原稿セット検知センサ３７が、原稿Ｇのセットを検知して、図２に示すコントローラ１６を介して本体制御部１００に原稿Ｇがセットされた旨の原稿セット信号を送信する。
【００３３】
また、原稿Ｇが原稿セットテーブル２０上にセットされると、原稿セットテーブル２０面に設けられた原稿長さ検知センサ２２、２３が、原稿Ｇの搬送方向長さの概略の長さを検知して、コントローラ１６を介して本体制御部１００に出力する。なお、原稿長さ検知センサ２２、２３としては、例えば、反射型センサまたは１枚の原稿Ｇでも検知可能なアクチェータ・タイプのセンサを用いることができ、少なくとも、同一原稿サイズの縦か横かを判別可能な位置に配置される。
【００３４】
その後、図２に示す操作部１０１から本体制御部１００を介して原稿給紙信号がコントローラ１６に入力されると、コントローラ１６の制御下で、原稿給紙動作が実行される。
【００３５】
すなわち、コントローラ１６は、呼出モータ１１を正転（ＣＷ）駆動させて原稿ストッパ３０を、図１に実線で示す位置まで待避させて、原稿Ｇの先端を開放し、その後、呼出モータ１１を逆転駆動させて、ピックアップローラ３２を破線位置から実線位置で示す原稿Ｇの上面に移動させて、所定の力で圧接させる。このときのピックアップローラ３２及び原稿ストッパ３０の状態を、ホームポジションセンサ１９が検知して、コントローラ１６に出力する。なお、呼出モータ１１としては、本実施の形態では、ステッピングモータを用いているが、ソレノイドを用いてもよい。
【００３６】
このピックアップローラ３２の圧接動作時に、原稿Ｇの枚数が少ない場合には、落下高さが大きく、かつ、原稿セットテーブル２０とピックアップローラ３２との間に原稿Ｇのクッション作用が少ないため、ピックアップローラ３２の落下衝撃音が大きくなるおそれがあるが、本実施の形態のＡＤＦ１では、原稿セットテーブル２０のピックアップローラ３２との接触点に、凹み形状のローラ逃げが形成されており、ピックアップローラ３２が原稿セットテーブル２０を直接たたくことを防止して、落下衝撃音を低減している。
【００３７】
その後、コントローラ１６は、所定の時間を経て、分離給送部３及びレジスト部４を駆動する給紙モータを正転（ＣＣＷ）方向に回転し、ピックアップローラ３２を時計方向に回転させて、原稿束Ｇの最上紙の原稿Ｇを分離給送部３方向に送り込む、このとき、給紙ベルト３３は、ベルトプーリ３４ａ、３４ｂに所定の張力を持って掛け渡されており、対抗位置に設けられた分離ローラ３５に巻き掛けられるように圧接されている。また、分離ローラ３５は、所定の大きさのトルクを有する図示しないトルクリミッターを介してフリクション駆動されており、給紙ベルト３３との直接系合時、または、１枚の原稿Ｇを介して系合している状態では、給紙ベルト３３の回転につられて半時計方向に回転される。そして、２枚以上の原稿Ｇが、万が一、給紙ベルト３３と分離ローラ３５との間に進入した場合には、連れ回り力がトルクリミッターのトルクよりも低くなるように設定されているため、２枚以上の原稿Ｇが給紙ベルト３３と分離ローラ３５との間に侵入すると、分離ローラ３５が、本来の駆動方向である時計方向に回転し、余分な原稿Ｇを押し戻して、原稿Ｇの重送を防止する。
【００３８】
このようにして、給紙ベルト３３と分離ローラ３５との作用により１枚に分離された原稿Ｇは、給紙ベルト３３によって更に送られ、給紙路３６上を搬送される途中で、突き当てセンサ３９によって、その先端が検知されて、さらに搬送されて、レジスト部４の停止しているレジストローラ４１に突き当たる。
【００３９】
そして、レジスト部４は、レジストローラ４１、加圧ローラ４２、サイズ検知センサ群４３及び先端検知センサ４４等を備え、ターン部５は、読取搬送ローラ５１、加圧ローラ５２及びレジストセンサ５３等を備えている。また、第１読取搬送部６は、読取ガラス６１、白色背景板６２、ピックアップガイド６３及び中間搬送加圧コロ６４等を備え、第２読取搬送部７は、密着イメージセンサ７１と押圧部材７２等を備えている。さらに、排紙部８は、排紙駆動ローラ８１、排紙加圧ローラ８２、済みスタンプ８３及び排紙センサ８４等を備えており、反転部９は、反転切換爪９１、反転搬送ローラ対９２、反転ローラ９３、反転経路９４及び反転センサ９５等を備えている。さらに、スタック部１０は、原稿スタッカー１０ａ及び原稿スタッカー１０ａ上の一部として形成されている小サイズ専用スタッカー１０ｂを備えている。
【００４０】
そして、上述のように、原稿Ｇが、給紙路３６上を搬送される途中で、突き当てセンサ３９によって、その先端が検知されて、さらに搬送されて、レジスト部４の停止しているレジストローラ４１に突き当たると、コントローラ１６は、当該原稿Ｇの突き当てセンサ３９の検知から所定量定められた距離だけ原稿Ｇを搬送して、レジストローラ４１に所定量のタワミを持って押し当てられた状態で給紙モータ１２を逆転させて、給紙ベルト３３の駆動を停止させる。
【００４１】
このとき、呼出モータ１１を正転方向に回転させることで、ピックアップローラ３２を原稿Ｇの上面から退避させて、原稿Ｇを給紙ベルト３３の搬送力のみで搬送し、原稿Ｇの先端を上下１対のローラからなるレジストローラ対４１のニップに進入させて、原稿Ｇの先端の整合（スキュー修正）を行う。
【００４２】
その後、コントローラ１６は、給紙モータ１２を逆転させてレジストローラ４１を駆動し、原稿Ｇをターン部５方向に搬送する。ここでは、１枚目の原稿Ｇをレジスト停止位置まで給紙する際には、レジストローラ４１の搬送スピードを読取スピードよりも高速に設定し、読取搬送モータ１３も同速で駆動する。
【００４３】
そして、２枚目以降の原稿Ｇの場合、次原稿Ｇの先出しを行う。すなわち、コントローラ１６は、原稿Ｇの画像の読み取り中の読取搬送モータ１３を本体制御部１００から指示された読取倍率に応じた速度で駆動し、次原稿Ｇの搬送速度については、読取搬送モータ１３の速度と同速で読取搬送ローラ５１と加圧ローラ４２のニップに送り込む必要があるため、読み取り中の原稿Ｇの後端が突き当てセンサ３９を抜けると、原稿Ｇの紙間を制御するためのパルスカウントをスタートさせて、読み取り中の原稿Ｇの後端の進行具合を監視しながら、次原稿Ｇの先出し搬送を開始する。
【００４４】
すなわち、まず、コントローラ１６は、呼出モータ１１を正転させてピックアップローラ３２を次原稿Ｇの上面に圧接させ、次いで、給紙モータ１２を正転駆動させて停止しているレジストローラ４１に突き当たるまで搬送する。ここで、コントローラ１６は、読み取り中の原稿Ｇの後端位置を紙間パルスカウント値から算出して、レジストローラ４１部から所定の紙間分進んだ位置で給紙モータ１２を逆転駆動させ、レジストローラ４１を１枚目の原稿Ｇの場合と同様に高速で駆動させて、先端検知センサ４４までこのスピードで送り込んで、先端検知センサ４４が原稿Ｇの先端を検出すると、読取スピード（読取搬送モータ５１の速度）まで減速させる。コントローラ１６は、この動作を連続する原稿Ｇの紙間で行うことにより、原稿突き当て動作で停止した時間を取り戻し、所定の原稿間隔を維持することができる。
【００４５】
原稿Ｇの先端がレジストローラ４１を過ぎると、サイズ検知センサ群４３が、搬送方向と直行する方向の当該原稿Ｇの先端の幅を検出して、幅信号をコントローラ１６に出力し、コントローラ１６は、この幅信号と原稿長さ検知センサ２２または原稿長さ検知センサ２３からの長さ信号とを組み合わせて、正確な原稿サイズを確定して、本体制御部１００に原稿サイズ信号を出力する。
【００４６】
その後、コントローラ１６は、原稿Ｇを読取搬送モータ５１と加圧ローラ４２とのニップに搬送し、レジストセンサ５３が原稿Ｇを検知した後、所定パルス搬送した位置で停止させて、レジスト停止信号を本体制御部１００に送信し、本体制御部１００から読取スタート信号（転写紙との同期または画像メモリへの蓄積の準備が完了した時点で送信される信号）が入力されるのを待つ。
【００４７】
次に、コントローラ１６は、本体制御部１００から読取スタート信号が入力されると、原稿Ｇの読取動作を実行し、レジスト停止している原稿Ｇを読取搬送モータ１３を正転駆動させて読取搬送モータ５１と加圧ローラ５２を回転させて、第１読取搬送部６へ搬送する。コントローラ１６は、このときの読取搬送モータ１３の駆動速度を、操作部１０１から入力される読取倍率に応じて本体制御部１００から入力される情報に基づいて決定する。
【００４８】
第１読取搬送部６には、読取ガラス６１の下方の本体筐体内に、図示しない画像読取系が配設されており、画像読取系は、一般的に、走行体に搭載された光源、ミラー及び本体筐体内に固定されているレンズとＣＣＤ（Ｃｈａｒｇｅ  Ｃｏｕｐｌｅｄ  Ｄｅｖｉｃｅ  ）等の光電変換素子等を備え、本体筐体の上面部の図示しないコンタクトガラス上にセットされた原稿を走行体が副走査方向に移動しつつ走行体上の光源から読取光を原稿に照射して、当該原稿からの反射光をミラーでレンズに反射して、レンズで光電変換素子に集光し、光電変換素子で入射光を光電変換することで、原稿を主走査及び副走査して原稿の画像を読み取る。そして、この画像読取系は、読取ガラス６１上を搬送される原稿Ｇの画像を読み取る際には、走行体が当該読取ガラス６１の下方に移動して停止し、停止した状態で、走行体上の光源から読取光を読取ガラス６１上を搬送される原稿Ｇに照射して、原稿Ｇで反射された光を最終的に光電変換素子に入射して、光電変換素子で光電変換することで、搬送される原稿Ｇの画像を読み取る。
【００４９】
この光電変換素子の変換した原稿の画像データは、図示しない本体筐体内のメモリに記憶される。
【００５０】
第１読取搬送部６は、搬送ギャップをできる限り狭く取り、原稿Ｇの自由度を極力少なくするために、読取入口ガイド６５の内面から可撓性のガイド部材を白色背景板６２方向に張り出させて、その隙間を埋める等の処理が施されており、また、白色背景板６２は、読取ガラス６１上に、０．５ｍｍ±０．２ｍｍ程度のギャップを持って所定の弾力性を有する状態で圧接されていて、読取深度方向の誤差を少なくしている。
【００５１】
また、読取ガラス６１の表面は、インク等の付着や固着を抑制するために、界面活性剤（シリコン系活性剤）を塗布する等の処理が施されている。また、読取入口ガイド６５からの可撓性ガイドが、読取ポイント（読取位置）近傍まで張り出す状態で設けられており、読取点位置では原稿面が積極的に読取ガラス６１に接触せず、かつ、原稿先端が読取ガラス６１の読取ポイント付近をワイピング（先端でガラス面の異物を掻き落とす作用）する構成となっている。
【００５２】
そして、コントローラ１６は、原稿先端が読取ポイントに到達するタイミングを読取搬送モータ１３のパルスをカウントすることで制御し、当該タイミングで副走査方向の表面画像有効読取領域を示す表面ＤＦゲート信号を本体制御部１００に送信する。その後、コントローラ１６は、画像読取系で読み取られる原稿Ｇを搬送させ、ピックアップガイド６３を経て中間搬送加圧コロ６４に送り込む。このとき、加圧ローラ５２と中間搬送加圧コロ６４は、読取搬送モータ５１による共通駆動であるため、原稿Ｇの送り込みと引き出し速度が同一の速度となり、受け渡しショックの発生を低減させる効果がある。
【００５３】
コントローラ１６は、中間搬送加圧コロ６４によって原稿Ｇを第１読取搬送部６から第２読取搬送部７に送り出し、第２読取搬送部７の読取部を下方に向けて配置された密着イメージセンサ７１と下方から密着イメージセンサ７１の読取面に所定圧と所定の間隔を有して配置された押圧部材７２の間を通過させる。
【００５４】
原稿Ｇの両面を読み取る両面モードの場合には、コントローラ１６は、原稿Ｇの先端が密着イメージセンサ７１部分に到達するタイミングを、レジストセンサ５３による原稿Ｇの先端検知からの搬送パルスカウントにより制御し、当該タイミングで裏面画像の有効読取領域信号を密着イメージセンサ７１に出力する。密着イメージセンサ７１は、この有効読取領域信号に基いて原稿Ｇの裏面の画像の読み取りを行い、読み取った画像データを一次内部のフレームメモリに蓄積した後、本体制御部１００に転送する。なお、押圧部材７２は、原稿Ｇの読取前に密着イメージセンサ７１に読み取られて、シェーディング補正の基準となるシェーデングデータを提供するとともに、原稿Ｇを密着イメージセンサ７１の読取部に押圧する機能を有している。また、この押圧部材７２は、図１に示すような板状のガイド部材であってもよいし、回転体で形成されていてもよい。
【００５５】
コントローラ１６は、原稿Ｇの表面及び裏面の原稿読取領域終了のタイミングを、原稿後端をレジストセンサ５３で検知した時点からのパルスカウントに基づいて制御する。
【００５６】
コントローラ１６は、裏面の読み取りの完了した原稿Ｇを、排紙駆動ローラ８１と排紙加圧ローラ８２を回転駆動させて、スタック部１０の原稿スタッカー１０ａに排出させる。原稿スタッカー１０ａは、下流側（原稿Ｇが排出されていく方向）が高くなっており、排出される原稿Ｇが飛び出すのを防止するとともに、スタック原稿Ｇの揃え精度を向上させている。
【００５７】
また、コントローラ１６は、複数枚の原稿Ｇを連続して読み取る連続読取時には、原稿Ｇの排出完了タイミングよりも次原稿Ｇの先出しによるレジスト停止動作によって読取搬送モータ１３の駆動が停止するため、読み取りの完了した原稿Ｇの排出動作を、次原稿Ｇの読取開始による読取搬送モータ１３の駆動再開によって原稿Ｇの後端が排紙センサ８４を抜けた時点で、本体制御部１００に排紙完了信号を送信して完了する。
【００５８】
さらに、コントローラ１６は、小サイズの原稿Ｇをスタックするときには、反転切換ソレノイド１５を駆動させて、反転部９の反転切換爪９１を図１に破線で示す状態に切り換えて、反転経路９４に原稿Ｇを搬送し、反転搬送ローラー対９２から原稿スタッカー１０ａ上の一部として形成されている小サイズ専用スタッカー１０ｂ上に排出させる。小サイズの原稿Ｇをこのように排出してスタックすることで、小サイズの原稿Ｇの排出後の視認性を向上させることができる。
【００５９】
また、原稿セットテーブル２０が、上述のように、回転支点２４を中心に上方に回転待避可能となっていて、スタック（セット）された原稿Ｇを容易に取り出せるようになっている。
【００６０】
さらに、コントローラ１６は、原稿排出時に、反転切換爪９１の動作と排出原稿後端との同期をとって、原稿Ｇが排出された直後に、反転切換ソレノイド１５を駆動させて、反転切換爪９１を図１の破線方向に回動させることで、排出原稿Ｇの後端を反転切換爪９１でたたいて、排出原稿Ｇの後端が残るのを防止している。
【００６１】
コントローラ１６は、同一サイズ原稿束Ｇでの片面または両面原稿における処理を上述のように動作制御することで読取搬送動作処理を行う。
【００６２】
そして、コントローラ１６は、異なるサイズの原稿Ｇが混ざった状態で原稿セットテーブル２０に載置されるサイズ混載時には、原稿長さが混在しているため、原稿セットテーブル２０上の原稿長さ検知センサ２２、２３では、原稿Ｇの長さ、すなわち、原稿サイズの判別が不可能であるため、原稿Ｇを一枚に分離した後、原稿Ｇの後端が用紙束から離れて完全に独立した状態になった時点で初めてサイズを確定することができる。
【００６３】
したがって、原稿Ｇの画像の読取前に原稿サイズを確定したい場合は、原稿経路構成を、分離後の最初の原稿後端検知位置から読取前のレジストセンサ５３の位置までの間を、最大原稿長さの１／２以上の長さに設定する必要がある。
【００６４】
これの条件を満足させようにＡＤＦ１を設計すると、原稿セット位置を、読取位置から大きく離す必要があり、原稿セットテーブル２０と搬送経路を含む部分が大きくなり、ＡＤＦ１、ひいては、画像形成装置全体が幅広なものとなってしまうという問題がある。
【００６５】
したがって、ＡＤＦ１、ひいては、画像処理装置全体を小さくするには、サイズ混載時の原稿長さ検知を従来とは異なる方法を用いる必要がある。
【００６６】
そこで、本実施の形態のＡＤＦ１は、サイズ混載時に、原稿サイズを読取スタート前に確定できない場合には、最初の搬送では読み取りを全く行わず、サイズの読み込みだけのために通紙を行い、反転部を介した２回目の読取部９の通過時に表面と裏面を同時に読み取るという方式を用いて、原稿長さ検知を適切に行う。
【００６７】
そして、この方式では、１回目のレジスト停止までの搬送動作は同一サイズの原稿束Ｇの時と同じであるが、本体制御部１００から送信される読取スタート信号の受信後の動作、特に、排紙部８以後の処理が異なる。
【００６８】
すなわち、コントローラ１６は、第１読取搬送部６及び第２読取搬送部７を通過した原稿Ｇを排紙する時、排紙センサ８４からのパルスカウントに基づいて、原稿Ｇの先端が排紙駆動ローラ８１と排紙加圧ローラ８２から出る前に、反転切換ソレノイド１５を駆動して反転切換爪９１を破線方向に移動させ、原稿Ｇを反転経路９４側に送り込む。その後、コントローラ１６は、反転モータ１４を駆動ささせて、反転搬送ローラ対９２により原稿Ｇの後端が排紙駆動ローラ８１と排紙加圧ローラ８２を通過するまで原稿Ｇを搬送する。
【００６９】
そして、コントローラ１６は、原稿停止後に、反転切換ソレノイド１５を駆動させて、反転切換爪９１を図１の実線方向に移動させ、原稿後端を排紙駆動ローラ８１と反転ローラ９３とのニップ方向に向けさせる。その後、コントローラ１６は、反転搬送ローラ対９２を反時計方向に逆転動作させ、停止している排紙駆動ローラ８１と反転ローラ９３のニップ部に原稿Ｇの先端（初期状態から見ると後端になる）を突き当てて先端スキュー整合動作を行った後、読取搬送モータ１３を駆動させて排紙駆動ローラ８１と反転ローラ９３の回転を開始し、再度、ターン部５を経て第１読取搬送部６及び第２読取搬送部７に送って、原稿Ｇの表裏の読み取りを行う。
【００７０】
このとき、原稿Ｇが裏と表が反転した状態となっているため、読取順序は、裏面が先で、表面が後の読み取りとなる。そこで、コントローラ１６は、まず、裏面ゲートＯＮ信号を本体制御部１００に送信して、次いで、表面ゲートＯＮ信号を本体制御部１００に送信し、本体制御部１００が、この裏面ゲートＯＮ信号と表面ゲートＯＮ信号に基づいて、画像データの頁順序の入れ換え処理を行う。
【００７１】
以上の動作で、原稿Ｇの読取動作が完了するが、そのまま原稿Ｇを排出すると、頁順が狂うため、コントローラ１６は、再度、反転動作を行った後、原稿Ｇをスタック部１０に排出する。
【００７２】
なお、上記原稿サイズ読み取りのためだけの搬送と、頁合わせのためだけの搬送は、原稿Ｇの画像の読み取りを伴わない搬送動作であるため、コントローラ１６は、これらの搬送動作では、ＡＤＦ１の備えている最速搬送速度で原稿Ｇを搬送するように制御し、ロス時間を低減させる。
【００７３】
なお、上記説明では、ＡＤＦ１が、原稿Ｇの裏面を読み取る第２読取搬送部７、特に、密着イメージセンサ７１を備えている場合について説明したが、密着イメージセンサ７１を有する第２読取搬送部７を設けることは、ＡＤＦ１が高価なものとなるため、第２読取搬送部７を設けなくてもよく、第２読取搬送部７を備えていない場合には、両面原稿Ｇを読み取るには、反転部９を利用して両面原稿Ｇの読み取りを行う。
【００７４】
すなわち、第２読取搬送部７を備えていない場合に、両面原稿Ｇを読み取るには、まず、第１読取搬送部６での原稿Ｇの表面の画像の読み取りが完了すると、当該原稿Ｇを反転部９で反転させて、ターン部５を通して、第１読取搬送部６に搬送し、第１読取搬送部６で裏面の読み取りを行って、その後、頁合わせの反転排出を行った後、スタック部１０に排出する。
【００７５】
このように第２読取搬送部７を有しない場合には、両面原稿Ｇから両面コピーを行う場合の生産性が低下するが、この対応策として、複数枚の原稿Ｇを搬送経路内に送り込んで、画像の読み取りと原稿Ｇの反転排出を交互に組み合わせて行って、紙間ロスを低減する。
【００７６】
すなわち、まず、１枚目の原稿Ｇを送り込み、第１読取搬送部６で１頁目の画像の読み取りを実行して、１頁目の画像の読み取りの完了した原稿Ｇを反転部９に送り込む。反転部９で、原稿後端を排紙駆動ローラ８１と反転ローラ９３とのニップに突き当てて整合を行った後、再度、第１読取搬送部６に送り込んで、１枚目の原稿Ｇの裏面である２頁目の読み取りを実行し、排紙時の頁順を揃えるために反転部９に送り込む。この反転部９への原稿Ｇの送り込みと前後して、２枚目の原稿Ｇを送り込み、第１読取搬送部６で２枚目の原稿Ｇの表面である３頁目の読み取りを実行し、引き続いて、１枚目の原稿Ｇの反転排出を実行する。さらに、続いて、２枚目の原稿Ｇの４頁目の読み取りを実行し、その後、２枚目の原稿Ｇを反転部９に送り込むとともに、前後して３枚目の原稿Ｇを送り込む。そして、打１読取搬送部６で、５頁目の読み取りを実行し、引き続き２枚目の原稿Ｇの反転排出を行う。このように、原稿Ｇの表面の読み取りと裏面の読み取りの間に、既に読み取りを完了した原稿Ｇの反転排出動作を挟んで処理を行うことによって、読み取りを行わない反転排出動作の紙間ロス時間を最小限にする。
【００７７】
なお、上記紙間ロスを低減させることができるのは、原稿Ｇが、反転搬送ローラー対９２からレジストセンサ５３の間に収まる長さのサイズである場合に限られる。
【００７８】
そして、上記原稿セットテーブル２０には、図３に原稿セットテーブル２０の要部透視図として示すように、不定形サイズの原稿Ｇの幅サイズを検出するために、サイドガイド２１の位置に応じた抵抗値を発生してサイドガイド２１の位置を検出するサイドガイド位置検出部（位置検出手段）２００が設けられている。すなわち、原稿セットテーブル２０には、サイドガイド２１の移動方向、すなわち、原稿幅方向（原稿Ｇの搬送方向と直交する方向）に、当該サイドガイド２１の移動距離に対応する長さにわたって１対の導電部材２０１が所定間隔のギャップを空けて平行に配設されており、導電部材２０１は、金属板または所定の低抵抗値の導電素材が用いられている。１対の導電部材２０１には、サイドガイド２１の移動方向において複数の不定形サイズの原稿Ｇの幅に対応する所定間隔毎に勘合突起２０２が設けられており、複数の勘合突起２０２のうち、ＡＤＦ１の利用者が使用する不定形サイズの原稿Ｇのサイズに対応する位置の勘合突起２０２には、それぞれ抵抗値の異なる固定抵抗値を有する接続部材２０３が着脱可能に勘合される。
【００７９】
サイドガイド２１には、その下面の１対の導電部材２０１と接触する位置にそれぞれ導通部材２０４が設けられており、各導通部材２０４は、接続部材２０３の位置に移動すると、当該接続部材２０３と接触する接触切片２０４ａが設けられている。この各導通部材２０４は、リード線等の導電線２０５でコネクタ２０６に接続されている。
【００８０】
したがって、サイドガイド２１が原稿セットテーブル２０上にセットされる原稿Ｇの幅方向端部に合わせて移動されてセットされると、図４及び図５に示すように、当該サイドガイド２１の位置に応じて、接続部材２０３と導通部材２０４との接続位置が変化して、当該原稿Ｇの幅に対応する抵抗値がコネクタ２０６の端子間に発生する。
【００８１】
このサイドガイド位置検出部２００は、等価回路として、図６のように示すことができる。なお、図６は、接続部材２０３が１カ所のみ設けられている場合の等価回路である。
【００８２】
図６において、サイドガイド位置検出部２００は、プルアップ抵抗Ｒｐと接続部材２０３の抵抗である接続抵抗Ｒｓが電源Ｖｃに直列接続され、サイドガイド２１の移動に伴う導通部材２０４による接触位置を示すスイッチＳＷ１ａ、ＳＷ１ｂが接続抵抗Ｒｓに接続された回路構成となっている。
【００８３】
ここで、接続部材２０３、すなわち接続抵抗Ｒｓにプルアップ抵抗Ｒｐと略同一の抵抗値の抵抗を用いると、サイドガイド２１の下面の導通部材２０４を介して接続部材２０３による抵抗（接続抵抗Ｒｓ）とプルアップ抵抗Ｒｐで分圧された電圧Ｖｓが図示しないＡ／Ｄ変換器でＡ／Ｄ変換されて、コントローラ１６に入力される。したがって、コントローラ１６は、接続部材２０３が未接続の時（すなわち、サイドガイド２１が所定位置に無い場合）のＡ／Ｄ変換値（例えば、８Ｂｉｔ分解能の場合、２５５／２５５）と、接続部材２０３による分圧時（すなわち、サイドガイド２１が所定位置にある場合）のＡ／Ｄ変換値（例えば、８Ｂｉｔ分解能の場合、１２８／２５５）を比較することで、サイドガイド２１の位置がユーザで使用される不定形サイズ幅の位置にあるか否かを判定する。
【００８４】
なお、上記説明では、接続部材２０３を専用の部品形状としているが、図７に示すように、市販のリード付き抵抗２０５を保持できるホルダ状の形状の接続部材２０３ａとしてもよい。
【００８５】
また、サイドガイド２１の位置検出を２カ所にする場合には、例えば、図８及び図９に示すように、２対の接続部材２０３ａ、２０３ｂをユーザの使用する不定形サイズ幅の位置に２カ所設け、サイドガイド２１に２対の導通部材２０４ａ、２０４ｂを設けて、サイドガイド２１が原稿セットテーブル２０上にセットされる原稿Ｇの幅方向端部に合わせて移動されてセットされると、図８及び図９に示すように、当該サイドガイド２１の位置に応じて、接続部材２０３ａ、２０３ｂと導通部材２０４ａ、２０４ｂとの接続位置が変化して、当該原稿Ｇの幅に対応する抵抗値がコネクタ２０６の端子間に発生する。
【００８６】
このサイドガイド２１の位置検出を２カ所で行う場合の等価回路２００ａは、サイドガイド２１の位置が図８及び図９の場合に対応して、図１０及び図１１のように示すことができ、サイドガイド位置検出部２００ａは、プルアップ抵抗Ｒｐと並列接続された２つの接続部材２０３ａ、２０３ｂの抵抗である接続抵抗Ｒｓ１、Ｒｓ２が電源Ｖｃに直列接続され、サイドガイド２１の移動に伴う導通部材２０４による接触位置を示すスイッチＳＷ１ａ、ＳＷ１ｂとスイッチＳＷ２ａ、ＳＷ２ｂが各接続抵抗Ｒｓ１、Ｒｓ２に接続された回路構成となっている。
【００８７】
この等価回路２００ａでは、サイドガイド２１の移動に伴って、導通部材２０４ａ、２０４ｂと接続部材２０３ａ、２０３ｂとの接触位置が変化することで、スイッチＳＷ１ａ、ＳＷ１ｂとスイッチＳＷ２ａ、ＳＷ２ｂがオン／オフして、プルアップ抵抗Ｒｐとの間で分圧されたサイドガイド２１の位置に対応する電圧Ｖｓが、図示しないＡ／Ｄ変換器でＡ／Ｄ変換されて、コントローラ１６に入力される。したがって、コントローラ１６は、この分圧電圧ＶｓのＡ／Ｄ変換値に基づいて、サイドガイド２１の位置を検出することができる。
【００８８】
なお、上記図４、図５、図７〜図９において、接続部材２０３、２０３ａ、２０３ｂには、導通部材２０４、２０４ａ、２０４ｂ側に、当該導通部材２０４、２０４ａ、２０４ｂと接触する接触突起２０３ｃが形成されている。
【００８９】
次に、本実施の形態の作用を説明する。本実施の形態のＡＤＦ１を備えた自動原稿送り装置及び画像処理装置は、原稿セットテーブル２０上にセットされた不定形サイズの原稿Ｇの幅サイズを、サイドガイド２１のセット位置に基づいて、安価にかつ高精度に検出する。
【００９０】
不定形サイズの原稿Ｇは、自動原稿送り装置及び画像処理装置を使用するユーザによって、その種類が異なり、また、ユーザによって固定的な種類を使用し、その種類が少ないのが一般的である。
【００９１】
そして、本実施の形態のＡＤＦ１は、サイドガイド２１の移動を、当該ユーザの使用する不定形サイズの原稿サイズに合わせて、接続部材２０３をセットし、当該接続部材２０３の位置とサイドガイド２１の位置に応じて、サイドガイド位置検出部２００の出力する電圧Ｖｓをデジタル変換した値に基づいて、セット原稿Ｇのサイズ（幅サイズ）を検出する。
【００９２】
いま、図８〜図１１に示したように、接続部材２０３が２個設けられていて２種類の不定形サイズ、大きい方の不定形サイズ１と小さい方の不定形サイズ２の原稿Ｇを検出するものとして、以下、検出処理を説明する。
【００９３】
不定形サイズの原稿Ｇのサイズを検出するために、まず、図１２に示すように、ＡＤＦ１のコントローラ１６は、サイドガイド２１が移動されてサイドガイド位置検出部２００ａが検出して出力する電圧ＶｓをＡ／Ｄ変換して入力される値（ＡＤ値）が「２２０」よりも大きいかチェックし（ステップＳ１０１）、ＡＤ値が「２２０」よりも大きいと、位置検出未設定である、すなわち、不定形サイズの原稿検出位置ではなく、例えば、通常の規定サイズの原稿検出位置であると判断して、処理を終了する（ステップＳ１０２）。
【００９４】
ステップＳ１０１で、ＡＤ値が「２２０」以下であると、コントローラ１６は、ＡＤ値が「１５０」よりも大きいかをチェックし（ステップＳ１０３）、ＡＤ値が「１５０」よりも大きいと、位置検出して、不定形設定１のコマンドを本体制御部１００に送信して処理を終了する（ステップＳ１０４）。
【００９５】
ステップＳ１０３で、ＡＤ値が「１５０」以下であると、コントローラ１６は、位置検出して、不定形設定２のコマンドを本体制御部１００に送信して処理を終了する（ステップＳ１０５）。
【００９６】
そして、本体制御部１００は、図１３に示すように、不定形サイズ設定コマンドをＡＤＦ１から受信すると、受信した不定形設定コマンドが不定形設定１のコマンドであるかチェックし（ステップＳ２０１）、受信した不定形設定コマンドが不定形設定１のコマンドであると、当該不定形設定フラグ１（設定フラグ１）がオフ（ＯＦＦ）であるかチェックする（ステップＳ２０２）。
【００９７】
ステップＳ２０２で、不定形設定フラグ１がオフであると、本体制御部１００は、不定形設定フラグ１に対して不定形サイズの幅サイズ値が設定されていないと判断して、操作部１０１の表示部に不定形設定フラグ１に対応する不定形サイズの原稿Ｇの幅サイズの値の入力を促す旨のメッセージを表示出力し（ステップＳ２０３）、操作部１０１で不定形サイズ値１が入力されると、当該入力されて不定形サイズ値１（不定形入力値１）を不定形設定フラグ１に対応させて内部メモリ等のメモリ（記憶手段）に保存するとともに、不定形設定フラグ１をオン（ＯＮ）に設定する（ステップＳ２０４）。
【００９８】
不定形設定フラグ１をオンに設定すると、本体制御部１００は、セットされた原稿Ｇの読取幅として、当該不定形サイズの幅サイズ値１を設定して、上記読取動作処理を行う（ステップＳ２０５）。
【００９９】
ステップＳ２０２で、不定形設定フラグ１がオンであると、本体制御部１００は、当該不定形設定フラグ１に対応して不定形サイズの原稿Ｇの幅サイズ値が既に設定されてメモリに保存されていると判断して、当該内部メモリから不定形設定フラグ１に対応して記憶されている原稿幅サイズ値１を読み出し（呼び出し）て（ステップＳ２０６）、メモリから読み出した原稿Ｇの幅サイズ値１を読取幅として設定して、上記読取動作処理を行う（ステップＳ２０５）。
【０１００】
また、上記ステップＳ２０１で、受信した不定形設定コマンドが不定形設定１のコマンドでないときには、本体制御部１００は、受信した不定形設定コマンドが不定形設定２のコマンドであるかチェックし（ステップＳ２０７）、受信した不定形設定コマンドが不定形設定設定２でもないときには、そのまま処理を終了する。
【０１０１】
ステップＳ２０７で、受信した不定形設定コマンドが不定形設定設定２のコマンドであると、本体制御部１００は、当該不定形設定フラグ２（設定フラグ２）がオフであるかチェックする（ステップＳ２０８）。
【０１０２】
ステップＳ２０８で、不定形設定フラグ２がオフであると、本体制御部１００は、不定形設定フラグ２に対して不定形サイズの幅サイズ値が設定されていないと判断して、操作部１０１の表示部に不定形設定フラグ２に対応する不定形サイズの原稿Ｇの幅サイズの値の入力を促す旨のメッセージを表示出力し（ステップＳ２０９）、操作部１０１で不定形サイズ値２が入力されると、当該入力されて不定形サイズ値２（不定形入力値２）を不定形設定フラグ２に対応させて内部メモリ等のメモリに保存するとともに、不定形設定フラグ２をオンに設定する（ステップＳ２１０）。
【０１０３】
不定形設定フラグ２をオンに設定すると、本体制御部１００は、セットされた原稿Ｇの読取幅として、当該不定形サイズの幅サイズ値２を設定して、上記読取動作処理を行う（ステップＳ２１１）。
【０１０４】
ステップＳ２０７で、不定形設定フラグ２がオンであると、本体制御部１００は、当該不定形設定フラグ２に対応して不定形サイズの原稿幅サイズ値２が既に設定されてメモリに保存されていると判断して、当該メモリから不定形設定フラグ２に対応して記憶されている原稿幅サイズ値２を読み出し（呼び出し）て（ステップＳ２１２）、メモリから読み出した原稿Ｇの幅サイズ値２を読取幅として設定して、上記読取動作処理を行う（ステップＳ２１１）。
【０１０５】
このように、本実施の形態のＡＤＦ１は、原稿幅方向一方側端面を基準端面として複数枚の原稿Ｇの載置される原稿セットテーブル２０上に、原稿幅方向にスライドして原稿Ｇの基準端面とは反対側端面を規制端面として規制するサイドガイド２１を設け、原稿幅方向の特定位置に着脱可能に設置された位置検知手段としてのサイドガイド位置検出部２００で、サイドガイド２１の特定位置を検出している。
【０１０６】
したがって、特定位置としてＡＤＦ１を使用するユーザ固有の不定形サイズの原稿Ｇの規制端面位置を設定して、サイドガイド２１を不定形サイズの原稿Ｇの規制端面に合わせて移動するだけで、安価にかつ高精度に不定形サイズの原稿Ｇの幅サイズを検出することができる。
【０１０７】
また、本実施の形態のＡＤＦ１は、サイドガイド位置検出部２００の接続部材２０３を、原稿幅方向の複数の異なる特定位置に任意に設置可能としている。
【０１０８】
したがって、複数の不定形サイズの原稿Ｇの幅サイズを安価にかつ高精度に検出することができる。
【０１０９】
さらに、本実施の形態のＡＤＦ１は、サイドガイド位置検出部２００を、原稿搬送方向に所定間隔を空けて原稿幅方向にサイドガイド２１の移動範囲にわたって配設された一対の導電部材２０１と、導電部材２０１の原稿幅方向に所定間隔毎に設けられた複数の勘合突起２０２と、複数の勘合突起２０２のうち任意の勘合突起２０２に着脱可能に設置され所定の抵抗値を有する接続部材２０３と、サイドガイド２１に設けられ導電部材２０１と接触して接続部材２０３の設置位置で接続部材２０３と接触するとともに接続部材２０３と導通部材２０１とを接続する導通部材２０４と、を備えたものとしている。
【０１１０】
したがって、より一層安価にかつ高精度に不定形サイズの原稿Ｇの幅サイズを検出することができる。
【０１１１】
そして、本実施の形態のＡＤＦ１を備えた画像処理装置は、ＡＤＦ１のサイドガイド位置検出部２００で検知した位置検知情報をＡＤＦ１から取得し、当該ＡＤＦ１から取得する位置検知情報に対応させて原稿幅値を操作部１０１から設定入力して、原稿幅値を位置検知情報に対応させてメモリに記憶し、原稿セットテーブル２０上に載置された原稿Ｇに合わせてサイドガイド２１が移動され、接続部材２０３でサイドガイド２１の位置を検出した位置検知情報を取得すると、本体制御部１００で、当該位置検知情報とメモリの原稿幅値に基づいて原稿セットテーブル２０上に載置された原稿幅を読み出して原稿Ｇの読取幅を決定している。
【０１１２】
したがって、特定位置としてＡＤＦ１を使用するユーザ固有の不定形サイズの原稿Ｇの規制端面位置を設定して、不定形サイズの原稿Ｇの幅にサイドガイド２１を合せるだけで、安価にかつ高精度に不定形サイズの原稿Ｇの幅サイズを検出して、当該検出した原稿幅サイズを読取幅として原稿Ｇの画像を読み取ることができ、不定形サイズの原稿Ｇの画像を安価にかつ高精度に読み取ることができる。
【０１１３】
なお、上記実施の形態においては、原稿セットテーブル２０上にセットされた原稿Ｇの幅サイズを、コストを低減化するために、サイドガイド２１の移動方向に一対の導電部材２０１を配設して、この導電部材２０１の間を、所定間隔毎に勘合突起２０２を設け、ユーザの使用する不定形サイズの原稿Ｇに応じて勘合突起２０２に抵抗値の異なる接続部材２０３を着脱可能に取り付けることで、サイドガイド２１の位置を当該接続部材２０３とサイドガイド２１に設けた導通部材２０４との接続による抵抗値の変化で検出しているが、反射型、または、透過型の光センサを用いて、原稿Ｇの幅サイズを検出するようにしてもよい。
【０１１４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１１５】
【発明の効果】
請求項１記載の発明の自動原稿送り装置によれば、原稿幅方向一方側端面を基準端面として複数枚の原稿の載置される原稿載置台上に、原稿幅方向にスライドして原稿の基準端面とは反対側端面を規制端面として規制するガイド部材を設け、当該原稿幅方向の特定位置に着脱可能に設置された位置検知手段で、当該ガイド部材の当該特定位置を検出するので、特定位置として自動原稿送り装置を使用するユーザ固有の不定形サイズの原稿の規制端面位置を設定して、ガイド部材を不定形サイズの原稿の規制端面に合わせて移動するだけで、安価にかつ高精度に不定形サイズの原稿の幅サイズを検出することができる。
【０１１６】
請求項２記載の発明の自動原稿送り装置によれば、位置検出手段を、原稿幅方向の複数の異なる特定位置に任意に設置可能としているので、複数の不定形サイズの原稿の幅サイズを安価にかつ高精度に検出することができる。
【０１１７】
請求項３記載の発明の自動原稿送り装置によれば、位置検出手段を、原稿搬送方向に所定間隔を空けて原稿幅方向にガイド部材の移動範囲にわたって配設された一対の導電部材と、当該導電部材の原稿幅方向に所定間隔毎に設けられた複数の位置固定部と、当該複数の位置固定部のうち任意の位置固定部に着脱可能に設置され所定の抵抗値を有する接続部材と、ガイド部材に設けられ導電部材と接触して接続部材の設置位置で当該接続部材と接触するとともに当該接続部材と導通部材とを接続する導通部材と、を備えたものとしているので、より一層安価にかつ高精度に不定形サイズの原稿の幅サイズを検出することができる。
【０１１８】
請求項４記載の発明の画像処理装置によれば、原稿載置台上に原稿幅方向一方側端面を基準端面として載置される複数枚の原稿を１枚毎に分離して画像読取部に給送するとともに、原稿載置台上に、原稿幅方向にスライドして原稿の基準端面とは反対側端面を規制端面としてガイド部材で規制し、当該原稿幅方向の特定位置に着脱可能に設置された位置検知手段で当該ガイド部材の当該特定位置を検出する自動原稿送り装置を備え、少なくとも、画像読取部上を搬送される原稿の画像を当該原稿の原稿幅に応じて読み取るに際して、情報取得手段で、位置検知手段の検知した位置検知情報を自動原稿送り装置から取得し、当該情報取得手段の取得する位置検知情報に対応させて原稿幅値を入力手段から設定入力して、当該原稿幅値を位置検知情報に対応させて記憶手段に記憶し、原稿載置台上に載置された原稿に合わせてガイド部材が移動され、位置検知手段が当該ガイド部材の位置を検出した位置検知情報を情報取得手段が取得すると、制御手段で、当該位置検知情報と記憶手段の原稿幅値に基づいて当該原稿載置台上に載置された原稿の原稿幅を読み出して原稿の読取幅を決定するので、特定位置として自動原稿送り装置を使用するユーザ固有の不定形サイズの原稿の規制端面位置を設定して、不定形サイズの原稿の規制端面にガイド部材を合せるだけで、安価にかつ高精度に不定形サイズの原稿の幅サイズを検出して、当該検出した原稿幅サイズを読取幅として原稿の画像を読み取ることができ、不定形サイズの原稿の画像を安価にかつ高精度に読み取ることができる。
【０１１９】
請求項５記載の発明の画像処理装置によれば、自動原稿送り装置を、請求項２または請求項３記載の自動原稿送り装置としているので、複数の不定形サイズの原稿の幅サイズを検出して、また、より一層安価に不定形サイズの原稿の幅サイズを検出して、当該検出した原稿幅サイズを読取幅として原稿の画像を読み取ることができ、不定形サイズの原稿の画像をより一層安価にかつ高精度に読み取ることができる。
【図面の簡単な説明】
【図１】本発明の自動原稿送り装置及び画像処理装置の一実施の形態を適用したＡＤＦの正面概略構成図。
【図２】図１のＡＤＦを備えた画像処理装置の要部回路ブロック図。
【図３】図１のＡＤＦの原稿セットテーブルの要部透視図。
【図４】図３のＡＤＦの接続部材と導通部材部分の拡大正面図。
【図５】図３のＡＤＦの接続部材と導通部材部分の拡大斜視図。
【図６】原稿セットテーブルのサイドガイドの位置検出を行うサイドガイド位置検出部の等価回路図。
【図７】図４の接続部材の抵抗として市販の固定抵抗を用いた場合の接続部材と導通部材部分の拡大正面図。
【図８】図３のＡＤＦの接続部材と導通部材を２個備え、当該２個の接続部材位置に導通部材が接触する位置にサイドガイドが移動されている場合の当該部材部分の拡大正面図。
【図９】図３のＡＤＦの接続部材と導通部材を２個備え、当該１個の接続部材位置に導通部材が接触する位置にサイドガイドが移動されている場合の当該部材部分の拡大正面図。
【図１０】図８に対応する場合の原稿セットテーブルのサイドガイドの位置検出を行うサイドガイド位置検出部の等価回路図。
【図１１】図９に対応する場合の原稿セットテーブルのサイドガイドの位置検出を行うサイドガイド位置検出部の等価回路図。
【図１２】図２のＡＤＦのコントローラによるサイドガイド位置判定処理を示すフローチャート。
【図１３】図２の本体制御部による不定形幅設定処理を示すフローチャート。
【符号の説明】
１  ＡＤＦ
２  原稿セット部
３  分離給送部
４  レジスト部
５  ターン部
６  第１読取搬送部
７  第２読取搬送部
８  排紙部
９  反転部
１０  スタック部
１０ａ  原稿スタッカー
１０ｂ  小サイズ専用スタッカー
１１  呼出モータ
１２  給紙モータ
１３  読取搬送モータ
１４  反転モータ
１５  反転切換ソレノイド
１６  コントローラ
２０  原稿セットテーブル
２１  サイドガイド
２２、２３  原稿長さ検知センサ
２４  回転支点
３０  原稿ストッパ
３１  原稿検知フィラー
３２  ピックアップローラ
３３  給紙ベルト
３４ａ、３４ｂ  ベルトプーリ
３５  分離ローラ
３６  給紙路
３７  原稿セット検知センサ
３８  ホームポジションセンサ
３９  突き当てセンサ
４１  レジストローラ
４２  加圧ローラ
４３  サイズ検知センサ群
４４  先端検知センサ
５１  読取搬送ローラ
５２  加圧ローラ
５３  レジストセンサ
６１  読取ガラス
６２  白色背景板
６３  ピックアップガイド
６４  中間搬送加圧コロ
６５  読取入口ガイド
７１  密着イメージセンサ
７２  押圧部材
８１  排紙駆動ローラ
８２  排紙加圧ローラ
８３  済みスタンプ
８４  排紙センサ
９１  反転切換爪
９２  反転搬送ローラ対
９３  反転ローラ
９４  反転経路
９５  反転センサ
１００  本体制御部
１０１  操作部
２００、２００ａ  サイドガイド位置検出部
２０１  導電部材
２０２  勘合突起
２０３、２０３ａ、２０３ｂ  接続部材
２０４、２０４ａ、２０４ｂ  導通部材
２０４ａ  接触切片
２０５  導電線
２０６  コネクタ
Ｒｓ  接続抵抗
Ｒｐ  プルアップ抵抗
ＳＷ１ａ、ＳＷ１ｂ、ＳＷ２ａ、ＳＷ２ｂ  スイッチ
【図１】
2004315136.tif 000003
【図２】
2004315136.tif 000004
【図３】
2004315136.tif 000005
【図４】
2004315136.tif 000006
【図５】
2004315136.tif 000007
【図６】
2004315136.tif 000008
【図７】
2004315136.tif 000009
【図８】
2004315136.tif 000010
【図９】
2004315136.tif 000011
【図１０】
2004315136.tif 000012
【図１１】
2004315136.tif 000013
【図１２】
2004315136.tif 000014
【図１３】
2004315136.tif 000015